(57)【要約】【課題】体重または体脂肪の重量の予測値を算出する。【解決手段】身体指標変化予測装置１０は取得部１３と入力部と１２と演算・制御部１８とを有する。取得部１３は被験者から排出されるケトン体濃度を取得する。入力部１２は現在以降の任意の時間を指定する入力を検出する。演算・制御部１８はケトン体濃度および任意の時間に基づいて身体指標の変化の予測値を算出する。身体指標の変化の予測値は任意の時間の経過時における被験者の体重または体脂肪の重量の変化である。【選択図】図２
2015021744.tif 000002
【特許請求の範囲】
【請求項１】
被験者から排出されるケトン体濃度を取得する取得部と、
現在以降の任意の時間を設定する設定部と、
前記ケトン体濃度および前記任意の時間に基づいて、前記任意の時間の経過時における前記被験者の身体指標の変化の予測値を算出する演算・制御部とを備える
ことを特徴とする身体指標変化予測装置。
【請求項２】
請求項１に記載の身体指標変化予測装置であって、
前記取得部が取得したケトン体濃度を記憶する記憶部を、さらに備え、
前記演算・制御部は、前記記憶部に記憶した過去のケトン体濃度に基づいて、前記身体指標の変化の予測値を算出する
ことを特徴とする身体指標変化予測装置。
【請求項３】
請求項２に記載の身体指標変化予測装置であって、前記演算・制御部は、前記記憶部に記憶した単一の前記過去のケトン体濃度および前記取得部が新規に取得した現在のケトン体濃度の変化に応じて、前記新規に取得したケトン体濃度および前記任意の時間に基づいて算出した前記身体指標の変化の予測値を補正することを特徴とする身体指標変化予測装置。
【請求項４】
請求項２に記載の身体指標変化予測装置であって、
前記記憶部は、前記取得部が取得したケトン体濃度を、取得時間と組合わせて記憶し、
前記演算・制御部は、前記記憶部に記憶した複数の前記過去のケトン体濃度および取得時間に基づいて算出した前記身体指標の変化の予測値と、前記取得部が新規に取得したケトン体濃度および前記任意の時間に基づいて算出した前記身体指標の変化の予測値とを重み付け平均することにより、前記新規に取得したケトン体濃度、前記過去のケトン体濃度、および前記任意の時間に基づく前記身体指標の変化の予測値を算出する
ことを特徴とする身体指標変化予測装置。
【請求項５】
請求項１から請求項４の何れか１項に記載の身体指標変化予測装置であって、
前記演算・制御部は、前記取得部が取得した新規なケトン体濃度および過去のケトン体濃度の変動に基づいて、前記被験者の体脂肪の燃焼スピード上昇度を判定する
ことを特徴とする身体指標変化予測装置。
【請求項６】
請求項５に記載の身体指標変化予測装置であって、前記演算・制御部は、前記燃焼スピード上昇度の判定のために前記新規なケトン体濃度および前記過去のケトン体濃度の変動と比較する閾値を、前記被験者の年齢に応じて変えることを特徴とする身体指標変化予測装置。
【請求項７】
請求項５または請求項６に記載の身体指標変化予測装置であって、前記演算・制御部は、前記燃焼スピード上昇度の判定のために前記新規なケトン体濃度および前記過去のケトン体濃度の変動と比較する閾値を、前記過去のケトン体濃度に応じて変えることを特徴とする身体指標変化予測装置。
【請求項８】
請求項１から請求項７のいずれか１項に記載の身体指標変化予測装置であって、前記演算・制御部は、現在時間から前記任意の時間までの経過時間および前記ケトン体濃度の積に基づいて、前記身体指標の変化の予測値を算出することを特徴とする身体指標変化予測装置。
【請求項９】
請求項１から請求項８のいずれか１項に記載の身体指標変化予測装置であって、前記設定部は、現在以降の任意の時間を指定する入力を検出する入力部であることを特徴とする身体指標変化予測装置。
【発明の詳細な説明】
【技術分野】
【０００１】
本発明は、ケトン体濃度に基づいて、身体指標の変化を予測する身体指標変化予測装置に関するものである。
【背景技術】
【０００２】
健康的なダイエット活動においては、体脂肪を減少させることが望まれている。それゆえ、体脂肪の量そのもの、または特定の運動、食事制限、および通常の生活活動などの多様な活動による体脂肪の減少量を把握することが求められている。そこで、体脂肪の燃焼量を、呼気中のアセトン濃度に基づいて、測定することが提案されている（特許文献１）。測定した体脂肪の燃焼量に基づいて、体脂肪の減少量を管理可能となる。
【先行技術文献】
【特許文献】
【０００３】
【特許文献１】特開２００１−３４９８８８号公報
【発明の概要】
【発明が解決しようとする課題】
【０００４】
ダイエット活動に励む者には、現在実行している運動による自身の体重の今後の変化を知る要望が高い。しかし、特許文献１に記載の装置では、測定時の体脂肪の減少量を把握可能であるが、短時間で変化が見えるものではなく、ある程度長期間の観察が必要である上に、将来の脂肪および体重などの変化を予測することは出来ない。
【０００５】
本発明は、かかる観点に鑑みてなされたもので、被験者の身体指標に関する短時間における変化の兆候を捉え、将来の変化を予測する身体指標変化予測装置を提供することを目的とするものである。
【課題を解決するための手段】
【０００６】
上述した諸課題を解決すべく、第１の観点による身体指標変化予測装置は、
被験者から排出されるケトン体濃度を取得する取得部と、
現在以降の任意の時間を設定する設定部と、
前記ケトン体濃度および前記任意の時間に基づいて、前記任意の時間の経過時における前記被験者の身体指標の変化である身体指標の変化の予測値を算出する演算・制御部とを備える
ことを特徴とするものである。
【０００７】
本願発明者は、被験者から排出されるケトン体濃度に対して任意の時間経過時における身体指標の変化に相関性があることを発見した。それゆえ、第１の観点による身体指標変化予測装置は、当該相関性に基づいて、被験者から排出されるケトン体濃度および検出した任意の時間により、現在から任意の時間経過時における身体指標の変化の予測値を算出可能である。
【０００８】
また、第２の観点による身体指標変化予測装置において、
前記取得部が取得したケトン体濃度を記憶する記憶部を、さらに備え、
前記演算・制御部は、前記記憶部に記憶した過去のケトン体濃度に基づいて、前記身体指標の変化の予測値を算出する
ことが好ましい。
【０００９】
第２の観点による身体指標変化予測装置によれば、過去のケトン体濃度に基づいて予測値を算出することにより、過去のケトン体濃度を用いてケトン体濃度の変化傾向を、身体指標変化の予測値に反映可能なので、予測値の算出精度を向上可能である。
【００１０】
また、第３の観点による身体指標変化予測装置において、
前記演算・制御部は、前記記憶部に記憶した単一の前記過去のケトン体濃度および前記取得部が新規に取得した現在のケトン体濃度の変化に応じて、前記新規に取得したケトン体濃度および前記任意の時間に基づいて算出した前記身体指標の変化の予測値を補正する
ことが好ましい。
【００１１】
第３の観点による身体指標予測装置によれば、特に単一の過去のケトン体濃度および現在のケトン体の濃度の変化に応じて予測値を算出することにより、過去から現在のケトン体濃度の変化傾向を、身体指標変化の予測値に簡易的に反映可能なので、予測値の算出精度を向上可能である。
【００１２】
また、第４の観点による身体指標変化予測装置において、
前記記憶部は、前記取得部が取得したケトン体濃度を、取得時間と組合わせて記憶し、
前記演算・制御部は、前記記憶部に記憶した複数の前記過去のケトン体濃度および取得時間に基づいて算出した前記身体指標の変化の予測値と、前記取得部が新規に取得したケトン体濃度および前記任意の時間に基づいて算出した前記身体指標の変化の予測値とを重み付け平均することにより、前記新規に取得したケトン体濃度、前記過去のケトン体濃度、および前記任意の時間に基づく前記身体指標の変化の予測値を算出する
ことが好ましい。
【００１３】
第４の観点による身体指標予測装置によれば、特に複数の過去のケトン体濃度を用いることにより現在のケトン体濃度が予測され、ケトン体濃度の変化傾向を身体指標の変化の予測値の算出に反映可能なので、予測値の算出精度を向上可能である。
【００１４】
また、第５の観点による身体指標変化予測装置において、
前記演算・制御部は、前記取得部が取得した新規なケトン体濃度および過去のケトン体濃度の変動に基づいて、前記被験者の体脂肪の燃焼スピード上昇度を判定する
ことが好ましい。
【００１５】
第５の観点の身体指標変化予測装置によれば、被験者の体脂肪の燃焼スピード上昇度を判定するので、現在の体脂肪の燃焼度合いを、被験者に容易に認識させることが可能である。
【００１６】
また、第６の観点による身体指標変化予測装置において、
前記演算・制御部は、前記燃焼スピード上昇度の判定のために前記新規なケトン体濃度および前記過去のケトン体濃度の変動と比較する閾値を、前記被験者の年齢に応じて変える
ことが好ましい。
【００１７】
第６の観点による身体指標変化予測装置によれば、体脂肪の燃焼の容易性を変動させる要因である、被験者の年齢によって閾値が変わるので、被験者の年齢に適した体脂肪の燃焼スピード上昇度を判別可能である。
【００１８】
また、第７の観点による身体指標変化予測装置において、
前記演算・制御部は、前記燃焼スピード上昇度の判定のために前記新規なケトン体濃度および前記過去のケトン体濃度の変動と比較する閾値を、前記過去のケトン体濃度に応じて変える
ことが好ましい。
【００１９】
第７の観点による身体指標変化予測装置によれば、体脂肪の燃焼の容易性を変動させる要因である、過去のケトン体濃度によって閾値が変わるので、被験者の過去のケトン体濃度に適した体脂肪の燃焼スピード上昇度を判別可能である。
【００２０】
また、第８の観点による身体指標変化予測装置において、
前記演算・制御部は、現在時間から前記任意の時間までの経過時間および前記ケトン体濃度の積に基づいて、前記身体指標の変化の予測値を算出する
ことが好ましい。
【００２１】
本願発明者は、ケトン体濃度および経過時間の積を変数とする一次または高次の多項式が、特に身体指標の変化に高い相関を有することを発見した。それゆえ、第８の観点による身体指標変化予測装置は、身体指標の変化の予測値を高い精度で算出可能である。
【００２２】
また、第９の観点による身体指標変化予測装置において、
前記設定部は、現在以降の任意の時間を指定する入力を検出する入力部である
ことが好ましい。
【００２３】
第９の観点による身体指標変化予測装置によれば、ユーザが、身体指標の変化の算出を所望する時間を入力部を介して検出することが可能である。
【発明の効果】
【００２４】
本発明によれば、被験者の体重に関する特性の将来の変化の予測値を算出可能である。
【図面の簡単な説明】
【００２５】
【図１】本発明の一実施形態に係る身体指標変化予測装置の外観図である。
【図２】図１の身体指標変化予測装置の内部構成を概略的に示す機能ブロック図である。
【図３】現在の体重変化の状態を示す画像の第１の例である。
【図４】現在の体重変化の状態を示す画像の第２の例である。
【図５】脂肪燃焼スピード上昇度を示す画像である。
【図６】体重変化の予測を示す画像の第１の例を示す。
【図７】体重変化の予測を示す画像の第２の例を示す。
【図８】体重変化の予測を示す画像の第３の例を示す。
【図９】演算・制御部が実行する体重変化観察処理を示すフローチャートである。
【図１０】演算・制御部が実行する脂肪燃焼スピード上昇度の判定のサブルーチンを示すフローチャートである。
【図１１】演算・制御部が実行する体重変化の予測のサブルーチンを示すフローチャートである。
【発明を実施するための形態】
【００２６】
以下、本発明の実施の形態について、図を参照して説明する。
【００２７】
図１は、本発明の一実施形態に係る身体指標変化予測装置の外観斜視図である。ここで、身体指標とは、身体の脂肪の燃焼による作用を受ける指標で、具体的には、体脂肪に関する指標（例えば、体脂肪量、体脂肪率）や体重に関する指標（例えば、体重）のことをいう。
【００２８】
身体指標変化予測装置１０は、身体指標の変化を予測する専用の機器、または、例えば活動量計などの他の機能を有する多様な機器に組込み可能である。本実施形態において、身体指標変化予測装置１０は、体重の変化を予測する専用の機器である。身体指標変化予測装置１０の正面には、表示部１１および入力部１２が設けられる。また、身体指標変化予測装置１０の側面には、取得部１３が設けられる。
【００２９】
表示部１１は多様な画像を表示可能である。例えば、表示部１１は、後述するように、現在の体重変化の状態を示す画像、脂肪燃焼スピード上昇度を示す画像、および体重変化の予測を示す画像を表示可能である。
【００３０】
入力部１２は、例えば、複数のボタンスイッチで構成し、使用者による押込みを検出する。
【００３１】
取得部１３は、被験者から排出されるケトン体濃度を取得する。ここで、ケトン体とは、アセト酢酸、３―ヒドロキシ酪酸（β―ヒドロキシ酪酸）、アセトンの総称であり、これらのうちの少なくともいずれかのことを示す。本実施形態においては、取得部１３においては、アセトンセンサを用いて、被験者の呼気に含まれるアセトン濃度を検出することを、ケトン体濃度の取得とする。なお、本実施形態においては、取得部１３は、呼気に含まれるアセトン濃度を検出する構成であるが、アセトンセンサ以外のケトン体センサを用いて、皮膚、尿、唾液および汗など被験者から排出されるケトン体濃度を検出する構成であってもよい。すなわち、取得部１３は、アセトンとは別のケトン体の濃度を取得してもよい。さらには、取得部１３は、外部機器により検出されたケトン体濃度を通信などにより取得する構成であってもよい。
【００３２】
次に、身体指標変化予測装置１０の内部構成を、図２の機能ブロック図を用いて説明する。身体指標変化予測装置１０は、表示部１１、入力部１２、取得部１３、バス１４、計時部１６、記憶部１７、および演算・制御部１８を含んで構成される。
【００３３】
バス１４は、演算・制御部１８と、表示部１１、入力部１２、取得部１３、計時部１６、および記憶部１７との間の情報および制御のための信号を通信する。
【００３４】
入力部１２は、身体指標変化予測装置１０への多様な入力を検出する。例えば、後述するように、入力部１２は、体重の変化を予測すべき任意の時間を指定する入力を検出する。また、入力部１２は、後述するように、被験者の性別、体格指数、および年齢の入力、ケトン体濃度の取得を開始する入力、現在の体重変化の状態の判定の実行可否の入力、脂肪燃焼スピード上昇度の判定の実行可否の入力、ならびに体重変化の予測の実行可否の入力を検出する。
【００３５】
計時部１６は、現在時間を測定する。
【００３６】
記憶部１７は、例えば不揮発性の半導体メモリであり、取得部１３が取得したケトン体濃度を、ケトン体濃度の取得時に計時部１６が測定した現在時間すなわち取得時間と組合わせて記憶する。また、記憶部１７は、被験者の性別、体格指数、および年齢、脂肪燃焼スピードの算出式、現在の体重変化の状態の判定のための判定表、脂肪燃焼スピード上昇度の判定のための判定表、体重変化の予測値の第１の算出式、時間閾値、体重変化の補正のための判定表、差分閾値、決定係数の算出式、ならびに体重変化の予測値の第２の算出式を記憶する。
【００３７】
演算・制御部１８は、身体指標変化予測装置１０の各部の動作を制御する。例えば、演算・制御部１８は、後述するように、現在の体重変化の状態の判定、脂肪燃焼スピード上昇度の判定、および体重変化の予測の実行を行う。
【００３８】
ここで、身体指標変化予測装置１０による現在の体重変化の状態の判定について、以下に説明する。身体指標変化予測装置１０では、取得部１３がケトン体濃度を取得すると、現在の体重変化の状態の判定が可能となる。取得部１３がケトン体濃度を取得すると、演算・制御部１８は、記憶した被験者の性別に対応する、（１）式に示される脂肪燃焼スピードの算出式を、記憶部１７から読出す。
【００３９】
【数１】
2015021744.tif 000003
【００４０】
（１）式において、Ｃａｌｆａｔは脂肪燃焼スピード（ｇ／ｄａｙ）であり、ｋ１、ｋ２は係数であり、Ｃｏｎｃは取得したケトン体濃度（ｐｐｂ）である。（１）式は、多数の被験者に対してケトン体濃度および脂肪燃焼スピードを実測し、その測定結果を回帰分析して、ケトン体濃度および脂肪燃焼スピードの関係を表す回帰式として統計的に求められたものである。本実施形態においては、脂肪燃焼スピードの算出式は、ケトン体濃度に対する１次式であるが他の次数の多項式でも、ケトン体濃度の逆数、指数計算、または対数計算を行う式であってもよい。
【００４１】
演算・制御部１８は、脂肪燃焼スピードの算出式を用いて、取得したケトン体濃度に対応する脂肪燃焼スピードを算出する。演算・制御部１８は、脂肪燃焼スピードを算出すると、記憶部１７から、現在の体重変化の状態の判定のための判定表を読出す。当該判定表は、被験者の現在の体重変化の状態が、脂肪燃焼スピードの程度を区分する第１の段階から第６の段階の何れの評価段階に属するかを判別させる表であって、表１に示すように、性別、年齢、体格指数（ＢＭＩ：Ｂｏｄｙ  Ｍａｓｓ  Ｉｎｄｅｘ）、および脂肪燃焼スピードに応じて何れかの評価段階が対応付けられて示されるものである。
【００４２】
【表１】
2015021744.tif 000004
【００４３】
演算・制御部１８は、記憶された被験者の性別、年齢、および体格指数における脂肪燃焼スピードに基づいて、読出した現在の体重変化の状態の判定のための判定表における何れかの評価段階を選択する。本実施形態においては、評価段階は第１の段階から第６の段階の６段階に区分されるが、複数の評価段階であればよい。第１の段階は脂肪燃焼が極めて低く、第1の段階から第６の段階に上がるにしたがって、脂肪燃焼が高くなることを示している。
【００４４】
なお、表１における評価段階を分類するための閾値（ａｍ１〜ａｍ１６、ｂｍ１〜ｂｍ１６、ｃｍ１〜ｃｍ１６、ｄｍ１〜ｄｍ１６、ｅｍ１〜ｅｍ１６、ａｆ１〜ａｆ１６、ｂｆ１〜ｂｆ１６、ｃｆ１〜ｃｆ１６、ｄｆ１〜ｄｆ１６、ｅｆ１〜ｅｆ１６）は、以下のような手順で予め作成される。多数の被験者について性別、年齢、および体格指数を採取する。次に、各被験者の多様な状況（例えば、食後からの多様な経過時間、多様な運動強度の状況）において、実際の体重変化および医師または栄養管理者などによる体調の観察とともに、脂肪燃焼スピードが算出される。医師または栄養管理者などは、実際の体重変化および体調の観察に基づいて、多様な状況毎に、各被験者の体重変化を上述の第１の段階から第６の段階のいずれかに振分ける。振分けた評価段階が、同じ状況で算出された脂肪燃焼スピードと対応付けられる。多数の被験者に対して、性別、年齢、体格指数、および評価段階毎の脂肪燃焼スピードに対するサンプル数の分布図を作成する。当該分布図に基づいて、例えば、第１の段階および第２の段階のように、互いに隣接する評価段階を分ける閾値が決定される。なお、現在の体重変化の状態の判定のための対応表において、体格指数が用いられているが、体の大きさおや体格の程度を示す他の指標を用いてもよい。例えば、体表面積、体重、体脂肪率、体脂肪量、または体脂肪量を身長により正規化した値を用いてもよい。さらには、これらの指標を組合わせて、用いてもよい。
【００４５】
演算・制御部１８は、脂肪燃焼スピードに対応する評価段階を選択すると、現在の体重変化の状態を示す画像を作成する。現在の体重変化の状態を示す画像は、例えば、図３に示すように、算出した日速の脂肪燃焼スピードを時速に変換した値および評価段階に応じた体重変化の方向を含む。なお、評価段階に応じた方向は、例えば、現在の体重変化の状態の判定のための判定表（表１）における第１の段階に該当する場合には増加方向、第２の段階または第３の段階に該当する場合には維持方向、および第４の段階、第５の段階、または第６の段階に該当する場合には減少方向に、決定される。図３における例は、第５の段階のときの体重変化の方向を示している。また、現在の体重変化の状態を示す画像は、例えば、現在の体重変化の状態を感覚的に知覚させるために、図４に示すように、評価段階に応じた数のインジケータＩＮＤを表示してもよい。図４における例は、第５の段階のときをインジケータＩＮＤにより示している。
【００４６】
次に、脂肪燃焼スピード上昇度の判定について、以下に説明する。身体指標変化予測装置１０では、記憶部１７が過去に取得したケトン体濃度を記憶している状態において取得部１３が新規にケトン体濃度を取得すると、脂肪燃焼スピード上昇度の判定が可能となる。取得部１３がケトン体濃度を新規に取得すると、演算・制御部１８は、直近の取得時間と組合わせて記憶したケトン体濃度を、記憶部１７から読出す。さらに、演算・制御部１８は記憶部１７から、脂肪燃焼スピード上昇度の判定のための判定表を読出す。当該判定表は、ケトン体濃度の測定を行った前回から今回までの期間における被験者の脂肪燃焼の度合いが、脂肪燃焼スピードの上昇（下降）度合いを区分するダウン、安定、スピードアップ、超高速化、頑張り過ぎ注意の何れ区分に属するかを判別させる表であって、表２に示すように、年齢、過去のケトン体濃度、ならびに新規に取得したケトン体濃度および読出したケトン体濃度の比較に応じて何れかの脂肪燃焼スピード上昇度の区分に対応付けられて示されるものである。
【００４７】
【表２】
2015021744.tif 000005
【００４８】
表２において、ｋ３は１未満の任意の係数、ｃｕｒＣｏｎｃｋｔｎは取得部１３が新規に取得したケトン体濃度である。ｐｒｅＣｏｎｃｋｔｎは記憶部１７から読出した過去のケトン体濃度である。ΔＣｏｎｃは新規に取得したケトン体濃度から読出した過去のケトン体濃度を減じた値、すなわち（ｃｕｒＣｏｎｃｋｔｎ−ｐｒｅＣｏｎｃｋｔｎ）である。脂肪燃焼スピード上昇度を定める各閾値（ｆ１〜ｆ１６、ｇ１〜ｇ１６、ｈ１〜ｈ１６）は、年齢が高くなる程低くなるように定められる。例えば、過去のケトン体濃度が２００未満であるときの“安定”を示す脂肪燃焼スピード上昇度の上限の閾値ｆ１、ｆ５、ｆ９、ｆ１３は、ｆ１＞ｆ５＞ｆ９＞ｆ１３の関係を有する。また、脂肪燃焼スピード上昇度を定める各閾値（ｆ１〜ｆ１６、ｇ１〜ｇ１６、ｈ１〜ｈ１６）は、過去のケトン体濃度が大きい程高くなるように定められる。例えば、年齢が２０歳未満である場合の“安定”を示す脂肪燃焼スピード上昇度の上限の閾値ｆ１、ｆ２、ｆ３、ｆ４は、ｆ１＜ｆ２＜ｆ３＜ｆ４の関係を有する。
【００４９】
表２は、多数の被験者について年齢、過去のケトン体濃度、ならびに過去に取得したケトン体濃度および新規に取得したケトン体濃度を採取し、各被験者の脂肪燃焼の度合いに応じてダウン、安定、スピードアップ、超高速化、および頑張り過ぎ注意のいずれかに区分けし、区分けられた各区分における年齢、過去のケトン濃度、ならびに新規および過去のケトン体濃度の比較の分布に基づいて、各区分けの境界となる閾値（ｆ１〜ｆ１６、ｇ１〜ｇ１６、ｈ１〜ｈ１６）が定められ、作成される。
【００５０】
演算・制御部１８は、記憶された被験者の年齢およびケトン体濃度の変化量に基づいて、読出した脂肪燃焼スピード上昇度の判定のための判定表における何れかの脂肪燃焼スピード上昇度の区分を選択する。本実施形態においては、脂肪燃焼スピード上昇度は“ダウン”、“安定”、“スピードアップ”、“超高速化”、および“頑張り過ぎ注意”の５段階に区分されるが、複数の段階に区分されればよい。また、本実施形態においては、脂肪燃焼スピード上昇度の判定のための判定表は、年齢および過去のケトン体濃度に対応して判定用の閾値が定められているが、年齢および過去のケトン体濃度の少なくとも一方に対応した閾値が定められなくてもよい。あるいは、性別および体格指数などの体格に対応して判定用の閾値が定められていてもよい。
【００５１】
演算・制御部１８は、現在の脂肪燃焼スピード上昇度を選択すると、脂肪燃焼スピード上昇度の選択に用いた過去のケトン体濃度の取得時間から、計時部１６が測定する現在時間までの経過時間を算出する。さらに、演算・制御部１８は、経過時間が時間閾値を超えているか否かを判別する。時間閾値は、当該経過時間が脂肪燃焼スピード上昇度の選択に適しているか否かを判別するために定められる値であって、多数の被験者について経過時間を採取し、脂肪燃焼スピードの上昇度を算出し、各被験者の脂肪燃焼状態が脂肪燃焼スピード上昇度に応じているか否かを判別し、判別された被験者の経過時間の分布に基づいて定められる。
【００５２】
次に、演算・制御部１８は、脂肪燃焼スピード上昇度を示す画像を作成する。脂肪燃焼スピード上昇度を示す画像は、例えば、図５に示すような円グラフＣＧによって現在の脂肪燃焼スピード上昇度を表示する。円グラフＣＧにおいては、真上を基準として、矢印Ａの回転角度が大きくなる程、脂肪燃焼スピード上昇度が“ダウン”、“安定”、“スピードアップ”、“超高速化”、および“頑張り過ぎ注意”を示す領域の指示に切替わる。また、経過時間が時間閾値を越えるときには、脂肪燃焼スピード上昇度を示す画像は、“日数が離れています。参考判定です”、“３日以上前との比較のため参考判定”、“比較対象データとの日数が離れ過ぎているため参考判定”などのように、表示した脂肪燃焼スピード上昇度が参考判定であることを示すメッセージＭＳＧを表示する。
【００５３】
次に、体重変化の予測について、以下に説明する。身体指標変化予測装置１０では、取得部１３がケトン体濃度を取得すると、体重変化の予測が可能となる。取得部１３がケトン体濃度を取得すると、入力部１２が体重変化を予測すべき任意の時間の入力を検出可能となる。入力部１２が任意の時間を検出すると、演算・制御部１８は、計時部１６が測定した現在時間から任意の時間までの経過時間を算出する。経過時間を算出すると、演算・制御部１８は記憶部１７から、（２）式に示される、体重変化の予測値の第１の算出式を読出す。
【００５４】
【数２】
2015021744.tif 000006
【００５５】
（２）式において、ΔＷは体重変化の予測値であり、ｋ４、ｋ５、ｋ６は係数であり、Δｔは経過時間である。（２）式は、多数の被験者に対してケトン体濃度および経過時間を実測し、その測定結果を回帰分析して、ケトン体濃度、経過時間、および体重変化の関係を表す回帰式として統計的に求められたものである。本実施形態においては、体重変化の予測値の第１の算出式は（２）式に示すように経過時間およびケトン体濃度の積の２次式であるが、他の次数の多項式でも、経過時間の項およびケトン体濃度の項の少なくとも一方を別々に有する式であってもよい。さらには、体重変化の予測値の第１の算出式は、経過時間およびケトン体濃度の逆数、指数計算、または対数計算を行う式であってもよい。
【００５６】
演算・制御部１８は、体重変化の予測値の第１の算出式を用いて、算出した経過時間および新規に取得したケトン体濃度に対する、被験者の体重変化の予測値（身体指標の変化の予測値）を算出する。
【００５７】
記憶部１７が過去のケトン体濃度を記憶していないときには、算出した予測値を最終の予測値として扱う。一方、記憶部１７が過去のケトン体濃度を記憶しているときには、さらに、演算・制御部１８は上述のように算出した予測値を仮の予測値として扱い、過去のケトン体濃度にも基づいて、最終の予測値を算出する。
【００５８】
記憶部１７が単一の過去のケトン体濃度を記憶しているときには、演算・制御部１８は、過去のケトン体濃度および取得時間ならびに体重変化の補正のための判定表を、記憶部１７から読出す。当該判定表は、最終の予測値を算出するために用いる補正係数を決めるための表であって、表３に示すように、脂肪燃焼スピード上昇度に応じて何れかの補正係数の区分が対応付けられて示されるものである。ここで、脂肪燃焼スピード上昇度とは、上述の脂肪燃焼スピード上昇度の判定において選択される脂肪燃焼スピード上昇度である。
【００５９】
【表３】
2015021744.tif 000007
【００６０】
表３において、−１＜ｋ７＜０＜ｋ８＜ｋ９＜ｋ１０＜１となるように、予め定められている。演算・制御部１８は、上述のように脂肪燃焼スピード上昇度を選択し、判別した脂肪燃焼スピード上昇度に対応する補正係数に基づいて、読出した体重変化の補正のための判定表における何れかの補正係数を選択する。
【００６１】
演算・制御部１８は、補正係数を選択すると、（２）式により算出した体重変化の仮の予測値に、選択した補正係数を用いて、体重変化の最終の予測値を算出する。体重変化の最終の予測値の算出式は、選択した補正係数に応じて仮の予測値を補正可能な式であればよく、例えば、（３）から（７）式のいずれかによって算出可能である。
【００６２】
【数３】
2015021744.tif 000008
【００６３】
（３）から（７）式において、ΔＷｆｉｎは体重変化の最終の予測値、ｋｓｌｃｔは、体重変化の補正のための判定表（表３）により選択された補正係数ｋ７からｋ１０である。
【００６４】
表３における補正係数ｋ７からｋ１０は、多数の被験者について経過時間毎の体重変化を実測し、また体重変化の予測値の第１の算出式（（２）式）を用いて体重変化の予測値の算出および脂肪燃焼スピード上昇度の選択を行い、脂肪燃焼スピード上昇度毎に体重変化の実測値と算出した体重変化の予測値の関係を回帰分析して、体重変化の実測値に対する体重変化の予測値の関係、または体重変化の実測値に対する体重変化の予測値ならびに過去のケトン体濃度および新規なケトン体濃度の関係を表す回帰式に用いる係数として統計的に求められたものである。
【００６５】
記憶部１７が複数の過去のケトン体濃度を記憶しているときには、演算・制御部１８は、過去のケトン体濃度および取得時間を、記憶部１７から読出す。演算・制御部１８は、読出した各取得時間に対するケトン体濃度の回帰分析を行い、（８）式に示すような任意の時間におけるケトン体濃度の仮の算出式を作成する。
【００６６】
【数４】
2015021744.tif 000009
【００６７】
（８）式において、ｅｓｔＣｏｎｃは時間ｔにおけるケトン体濃度の仮の予測値である。ｋ１１、ｋ１２は、前述の回帰分析により定められる係数である。本実施形態において、ケトン体濃度の仮の算出式は（８）式に示すように一次近似による直線回帰式であるが、曲線近似式であってもよい。
【００６８】
演算・制御部１８は、ケトン体濃度の仮の算出式（８）式を用いて、実際に取得した過去のケトン体濃度の取得時間におけるケトン体濃度の仮の予測値を算出する。演算・制御部１８は、同じ取得時間に取得したケトン体濃度および仮の予測値の差分を算出する。演算・制御部１８は、差分閾値を記憶部１７から読出し、取得したケトン体濃度および仮の予測値の差分と比較する。演算・制御部１８は、差分が差分閾値より大きな取得時間のケトン体濃度を除外する。差分閾値は、ケトン体濃度の最終の算出式の回帰分析に不適な、取得したケトン体濃度を除外する判別のために定められる値であって、後述する体重変化の予測値の第２の算出式により算出される体重変化の予測値と、体重変化の実測値との差が所定の値未満になるように、定められる。
【００６９】
演算・制御部１８は、除外されずに残った各取得時間に対するケトン体濃度の回帰分析を行い、（８）式と同様、即ち一次近似による直線回帰式である、ケトン体濃度の最終の算出式を作成する。演算・制御部１８は、最終の算出式を用いて、予測日時直前（例えば、１時間前）の日時に対するケトン体濃度の予測値を算出する。演算・制御部１８は、体重変化の予測値の第１の算出式（（２）式）に、経過時間および算出したケトン体濃度の予測値を代入して、予測したケトン体濃度に基づく体重変化の予測値を算出する。
【００７０】
次に、演算・制御部１８は、（９）式に示すような決定係数の算出式を、記憶部１７から読出す。
【００７１】
【数５】
2015021744.tif 000010
【００７２】
（９）式においてｒは決定係数であり、ｅｓｔＣｏｎｃｉは各ケトン体濃度の最終の予測値であり、ｅｓｔＣｏｎｃａｖｅはケトン体濃度の最終の予測値の平均値であり、ｐｒｅＣｏｎｃｉは除外されずに残った各ケトン体濃度であり、ｐｒｅＣｏｎｃａｖｅは除外されずに残ったケトン体濃度の平均値である。
【００７３】
演算・制御部１８は、決定係数の算出式を用いて、各ケトン体濃度の最終の予測値および除外されずに残った各ケトン体濃度に対する決定係数を算出する。さらに、演算・制御部１８は、（１０）式に示すような体重変化の予測値の第２の算出式を、記憶部１７から読出す。
【００７４】
【数６】
2015021744.tif 000011
【００７５】
（１０）式において、ｋ１３は決定係数に基づいて定められる1以下の係数であり、例えばｒ２である。また、ｔｅｍｐΔＷは、体重変化の予測の第１の算出式を用いて算出した、新規に取得したケトン体濃度に基づく仮の予測値である。ｅｓｔΔＷは、第１の算出式を用いて算出した、ケトン体濃度の最終の予測値に基づく体重変化の予測値である。したがって、（１０）式は、新規に取得したケトン体濃度に基づく仮の予測値と、第１の算出式を用いて算出した、ケトン体濃度の最終の予測値との、重み付け平均値を算出する式である。
【００７６】
演算・制御部１８は、体重変化の予測の第２の算出式を用いて、決定係数に基づいて算出した係数、新規に取得したケトン体濃度に基づく仮の予測値、およびケトン体濃度の予測値に基づく、体重変化の最終の予測値を算出する。
【００７７】
演算・制御部１８は、体重変化の最終の予測値を算出すると、体重変化の予測を示す画像を作成する。体重変化の予測を示す画像は、例えば、図６に示すように、入力部１２が検出した任意の時間における体重変化の最終の予測値を表示する。または、体重変化の予測を示す画像は、例えば、図７に示すように、体重変化に相当する体脂肪率の変化の予測値を表示する。あるいは、体重変化の目標値を入力部１２に入力することにより、体重変化の予測を示す画像において目標達成できる時間を表示してもよい（図８参照）。
【００７８】
さらに、演算・制御部１８は、体重変化の予測値に応じて、食事、運動、生活アドバイス、および関連情報を表示する画像を作成し、表示部１１に表示させてもよい。また、演算・制御部１８は、入力部１２が検出した任意の時間までの体重の変動を示すグラフ画像を作成し、表示部１１に表示させてもよい。
【００７９】
次に、演算・制御部１８が実行する体重変化観察処理について、図９のフローチャートを用いて説明する。なお、体重変化観察処理とは、身体指標変化予測装置１０における現在の体重変化の状態の判定、脂肪燃焼スピード上昇度の判定、および体重変化の予測を実行させるための処理である。体重変化観察処理は、入力部１２がケトン体濃度の取得を開始する入力を検出するときに開始する。
【００８０】
ステップＳ１００において、演算・制御部１８は、取得部１３にケトン体濃度を取得させる。ケトン体濃度を取得すると、プロセスはステップＳ１０１に進む。
【００８１】
ステップＳ１０１では、演算・制御部１８は、現在の体重変化の状態の判定の実行の入力の可否を判別する。実行の入力を検出するときには、プロセスはステップＳ１０２に進む。実行の入力を検出しないときには、プロセスはステップＳ１０２をスキップしてステップＳ１０３に進む。
【００８２】
ステップＳ１０２では、演算・制御部１８は、現在の体重変化の状態の判定を実行する。すなわち、演算・制御部１８は、被験者の性別に対応した脂肪燃焼スピードの算出式（（１）式）を記憶部１７から読出し、ステップＳ１００において取得したケトン体濃度に対応する脂肪燃焼スピードを算出する。さらに、演算・制御部１８は、現在の体重変化の状態の判定のための判定表（表１）を記憶部１７から読出し、算出した脂肪燃焼スピードに基づいて何れかの評価段階を選択する。さらに、演算・制御部１８は、算出した脂肪燃焼スピードおよび選択した評価段階の少なくとも一方を用いて、現在の体重変化の状態を示す画像を作成し、表示部１１に表示させる。以上のような現在の体重変化の状態の判定を終了すると、プロセスはステップＳ１０３に進む。
【００８３】
ステップＳ１０３では、演算・制御部１８は、記憶部１７に過去に取得したケトン体濃度が記憶されているか否かを判別する。記憶されているときには、プロセスはステップＳ１０４に進む。記憶されていないときには、プロセスはステップＳ１０４、Ｓ２００をスキップして、ステップＳ１０５に進む。
【００８４】
ステップＳ１０４では、演算・制御部１８は、脂肪燃焼スピード上昇度の判定の実行の入力の可否を判別する。実行の入力を検出するときには、プロセスはステップＳ２００に進む。実行の入力を検出しないときには、プロセスはステップＳ２００をスキップしてステップＳ１０５に進む。
【００８５】
ステップＳ２００では、後述するように、脂肪燃焼スピード上昇度の判定のサブルーチンを実行する。脂肪燃焼スピード上昇度の判定のサブルーチンの実行により、脂肪燃焼スピード上昇度を示す画像を、表示部１１に表示すると、プロセスはステップＳ１０５に進む。
【００８６】
ステップＳ１０５では、演算・制御部１８は、体重変化の予測の実行の入力の可否を判別する、実行の入力を検出するときには、プロセスはステップＳ３００に進む。実行の入力を検出しないときには、ステップＳ１００において取得したケトン体濃度を現在時間と組合わせて記憶部１７に記憶させ、体重変化観察処理を終了する。
【００８７】
次に、ステップＳ２００において演算・制御部１８が実行する脂肪燃焼スピード上昇度の判定のサブルーチンについて、図１０のフローチャートを用いて説明する。
【００８８】
ステップＳ２０１では、演算・制御部１８は、記憶部１７から直近の取得時間であるケトン体濃度を読出す。ケトン体濃度を読出すと、プロセスはステップＳ２０２に進む。
【００８９】
ステップＳ２０２では、演算・制御部１８は、脂肪燃焼スピード上昇度の判定のための判定表（表２）を読出す。判定表を読出すと、プロセスはステップＳ２０３に進む。
【００９０】
ステップＳ２０３では、演算・制御部１８は、ステップＳ１００において取得したケトン体濃度およびステップＳ２０１において読出したケトン体濃度の比較に基づいて、ステップＳ２０３において読出した判定表における何れかの脂肪燃焼スピード上昇度を選択する。脂肪燃焼スピードの上昇度の選択を行なうと、プロセスはステップＳ２０４に進む。
【００９１】
ステップＳ２０４では、演算・制御部１８は、ステップＳ２０１で読出したケトン体濃度の取得時間から計時部１６が測定する現在時間までの経過時間を算出する。経過時間を算出すると、プロセスはステップＳ２０５に進む。
【００９２】
ステップＳ２０５では、演算・制御部１８は、ステップＳ２０４において算出した経過時間が記憶部１７から読出される時間閾値より大きいか否かを判別する。経過時間が時間閾値より大きいときには、プロセスはステップＳ２０６に進む。経過時間が時間閾値以下であるときには、プロセスはステップＳ２０６をスキップしてステップＳ２０７に進む。
【００９３】
ステップＳ２０６では、演算・制御部１８は、作成する画像において参考判定である旨を示すメッセージを付加することを決定する。メッセージ付加の決定後、プロセスはステップＳ２０８に進む。
【００９４】
ステップＳ２０７では、演算・制御部１８は、ステップＳ２０４において判別した脂肪燃焼スピード上昇度、およびステップＳ２０７においてメッセージの付加を決定したときにはさらにメッセージにも基づいて、脂肪燃焼スピード上昇度を示す画像を作成し、表示部１１に表示させる。
【００９５】
脂肪燃焼スピード上昇度を示す画像の表示後、脂肪燃焼スピード上昇度判定のサブルーチンを終了する。
【００９６】
次に、ステップＳ３００において演算・制御部１８が実行する体重変化の予測のサブルーチンについて、図１１のフローチャートを用いて説明する。
【００９７】
ステップＳ３０１では、演算・制御部１８は、入力部１２が任意の時間の入力を検出しているか否かを判別する。任意の時間の入力を検出していないときには、ステップＳ２０１を繰返す。任意の時間の入力を検出するときに、プロセスはステップＳ３０２に進む。
【００９８】
ステップＳ３０２では、演算・制御部１８は、計時部１６が測定した現在時間からステップＳ３０１において検出した任意の時間までの経過時間を算出する。経過時間の算出を終えると、プロセスはステップＳ３０３に進む。
【００９９】
ステップＳ３０３では、演算・制御部１８は、記憶部１７に記憶された体重変化の予測値の第１の算出式（（２）式）を用いて、ステップＳ３０２において算出した経過時間における体重変化の予測値を算出する。体重変化の予測値を算出すると、プロセスはステップＳ３０４に進む。
【０１００】
ステップＳ３０４では、演算・制御部１８は、記憶部１７に過去に取得したケトン体濃度が記憶されているか否かを判別する。記憶されているときには、プロセスはステップＳ３０５に進む。記憶されていないときには、プロセスはステップＳ３１８に進む。
【０１０１】
ステップＳ３０５では、演算・制御部１８は、記憶部１７に記憶したケトン体濃度が１件であるか否かを判別する。１件であるときには、プロセスはステップＳ３０６に進む。複数のケトン体濃度であるときには、プロセスはステップＳ３１２に進む。
【０１０２】
ステップＳ３０６およびＳ３０７において、演算・制御部１８は、脂肪燃焼スピード上昇度判定のサブルーチンにおけるステップＳ２０２およびＳ２０３と同じ動作を実行する。ステップＳ３０７において、脂肪燃焼スピードの上昇度の選択を行なうと、プロセスはステップＳ３０８に進む。
【０１０３】
ステップＳ３０８では、演算・制御部１８は、体重変化の補正のための判定表（表３）を、記憶部１７から読出す。判定表を読出すと、プロセスはステップＳ３０９に進む。
【０１０４】
ステップＳ３０９では、演算・制御部１８は、ステップＳ３０８において選択した脂肪燃焼スピード上昇度に基づいて、ステップＳ３０９において読出した判定表（表３）における何れかの補正係数を選択する。補正係数の判別を行なうと、プロセスはステップＳ３１０に進む。
【０１０５】
ステップＳ３１０では、演算・制御部１８は、ステップＳ３０３において算出した体重変化の予測値を、ステップＳ３０９において選択した補正係数を用いて（（３）式から（７）式）補正することにより、体重変化の最終の予測値を算出する。最終の予測値を算出すると、プロセスはステップＳ３１７に進む。
【０１０６】
前述のように、ステップＳ３０５において記憶件数が複数であるときに、プロセスはステップＳ３１１に進む。ステップＳ３１１では、演算・制御部１８は、記憶部１７から読出した過去のケトン体濃度および取得時間に基づいて回帰分析を行い、ケトン体濃度の仮の算出式（（８）式）を作成する。仮の算出式を作成すると、プロセスはステップＳ３１２に進む。
【０１０７】
ステップＳ３１２では、演算・制御部１８は、ステップＳ３１１で作成した仮の算出式（（８）式）により求まるケトン体濃度との差が差分閾値より大きなケトン体濃度を、除外する。不適なケトン体濃度を除外すると、プロセスはステップＳ３１３に進む。
【０１０８】
ステップＳ３１３では、演算・制御部１８は、ステップＳ３１２における除外後に残ったケトン体濃度および対応する取得時間に基づいて回帰分析を行い、ケトン体濃度の最終の算出式を作成する。最終の算出式を作成すると、プロセスはステップＳ３１４に進む。
【０１０９】
ステップＳ３１４では、演算・制御部１８は、ステップＳ３１３で作成した最終の算出式を用いて予測日時直前（例えば、１時間前）の日時におけるケトン体濃度の予測値を算出する。予測値を算出すると、プロセスはステップＳ３１５に進む。
【０１１０】
ステップＳ３１５では、演算・制御部１８は、決定係数の算出式（（９）式）を用いて、ステップＳ３１３で作成した最終の算出式に基づくケトン体濃度の予測値およびステップＳ３１２における除外後に残ったケトン体濃度に対する決定係数を算出する。決定係数を算出すると、プロセスはステップＳ３１６に進む。
【０１１１】
ステップＳ３１６では、演算・制御部１８は、記憶部１７に記憶された体重変化の予測値の第２の算出式（（１０）式）を用いて、決定係数に基づいて算出した係数、新規に取得したケトン体濃度に基づく仮の予測値、およびケトン体濃度の予測値に基づく予測値に対する、体重変化の最終の予測値を算出する。最終の予測値を算出すると、プロセスはステップＳ３１７に進む。
【０１１２】
ステップＳ３１７では、演算・制御部１８は、ステップＳ３０３、Ｓ３１０、またはＳ３１６において算出した体重変化の予測値を表示する体重変化の予測を示す画像を作成し、表示部１１に表示させる。画像を表示部１１に表示させると、プロセスはステップＳ３１８に進む。
【０１１３】
ステップＳ３１８では、演算・制御部１８は、記憶部１７に過去に取得したケトン体濃度が記憶されているか否かを判別する。記憶されているときには、プロセスはステップＳ３１９に進む。記憶されていないときには、体重変化予測のサブルーチンを終了する。
【０１１４】
ステップＳ３１９では、演算・制御部１８は、入力部１２が体重変化の予測値のグラフの表示を実行する入力を検出しているか否かを判別する。入力を検出するときには、プロセスはステップＳ３２０に進む。入力を検出しないときには、体重変化予測のサブルーチンを終了する。
【０１１５】
ステップＳ３２０では、演算・制御部１８は、現在時間から、ステップＳ３０１で入力を検出した任意の時間までの各時間に応じた体重変化の予測値を算出し、グラフ画像を作成して、表示部１１に表示させる。体重変化の予測値の算出は、体重変化の予測値の第１の算出式（ステップＳ３０３における（２）式）、補正係数による補正（ステップＳ３１０における（３）式から（７）式）、および体重変化の予測値の第２の算出式（ステップＳ３１６における（１０）式）の何れの方式によって実行してもよい。グラフ画像を表示すると、体重変化の予測のサブルーチンを終了する。
【０１１６】
以上のような構成の本実施形態の身体指標変化予測装置によれば、被験者から排出されるケトン体濃度に基づいて、体重変化の未来の予測値を算出可能である。生体から排出されるケトン体濃度は、生体において体脂肪の燃焼が開始されてからケトン体濃度の取得時間までの間に燃焼した体脂肪のエネルギーに、相関することが、従来、知られている。本願発明者は、さらに、生体から排出されるケトン体濃度が、将来の体脂肪（または体重）の重量変化に相関することを発見した。本実施形態の身体指標変化予測装置１０では、このように、本願発明者が新規に発見した特性（ケトン体濃度、経過時間、および体重変化の相関性）に基づいて、上述のように、従来では困難であった体重変化の予測値を算出する。
【０１１７】
また、本実施形態の身体指標変化予測装置によれば、被験者から排出されるケトン体濃度および現在時間から任意の時間までの経過時間の積に基づいて体重変化の未来の予測値を算出するので、予測値の精度を向上可能である。上述のように、本願発明者は、生体から排出されるケトン体濃度および体重変化の間に相関性が存在することを発見した。本願発明者は、特に、ケトン体濃度および経過時間の積を変数とする一次または高次の多項式が、体重変化に高い相関を有することを発見した。本実施形態の身体指標変化予測装置では、このように、本願発明者が新規に発見した特性（ケトン体濃度および経過時間の積と体重変化の相関性）に基づいて、上述のように高い精度で将来の体重変化の予測値を算出する。
【０１１８】
また、本実施形態の身体指標変化予測装置によれば、過去に取得したケトン体濃度にも基づいて体重変化の予測値を算出するので、特定の被験者の体重変化の特性が反映され、予測値の精度をさらに向上可能である。特に、複数のケトン体濃度を利用可能なときには、特定の被験者の実際の過去のケトン体濃度に基づいて現在のケトン体濃度を予測することにより、当該被験者のケトン体濃度の変化傾向を、体重変化の予測値の算出に反映可能である。したがって、当該被験者に対する予測値の算出精度を高く向上可能である。また、単一のケトン体濃度のみ利用可能な場合には、被験者のケトン体濃度の変化傾向を簡易的に体重変化の予測値の算出に反映するので、予め定められた算出式のみを用いる場合に比べて予測値の精度を向上可能である。
【０１１９】
また、本実施形態の身体指標変化予測装置によれば、新規に取得したケトン体濃度および過去のケトン体濃度に基づいて被験者の体脂肪の燃焼スピード上昇度を判別するので、現在の体脂肪の燃焼状態の度合いを、被験者に容易に認識させることが可能である。
【０１２０】
また、本実施形態の身体指標変化予測装置によれば、体脂肪の燃焼スピード上昇度の判別のために用いる閾値を被験者の年齢および過去のケトン体濃度の少なくとも一方に基づいて変更可能である。このような構成によれば、被験者の年齢および過去のケトン体濃度などの体脂肪の燃焼の容易性を変動させる要因によって閾値が変わるので、被験者の年齢および過去の運動状態（過去のケトン体濃度）に適した体脂肪の燃焼スピード上昇度を判別可能である。
【０１２１】
本発明を諸図面や実施形態に基づき説明してきたが、当業者であれば本開示に基づき種々の変形や修正を行うことが容易であることに注意されたい。従って、これらの変形や修正は本発明の範囲に含まれることに留意されたい。
【０１２２】
例えば、本実施形態において、入力部１２が体重変化を予測すべき任意の時間を指定する入力を検出することにより任意の時間が定まる構成であるが、入力部とは異なる種類の設定部が予測すべき任意の時間を設定する構成であってもよい。例えば、体重変化を予測すべき任意の時間そのもの、または状況に応じて任意の時間を設定するプログラム、例えば現在時刻から一定の期間後の時間に決定するプログラムをに基づいて、任意の時間を設定する構成であってもよい。
【符号の説明】
【０１２３】
１０  身体指標変化予測装置
１１  表示部
１２  入力部
１３  取得部
１４  バス
１６  計時部
１７  記憶部
１８  演算・制御部
Ａ  矢印
ＣＧ  円グラフ
ＩＮＤ  インジケータ
ＭＳＧ  メッセージ
【図１】
2015021744.tif 000012
【図２】
2015021744.tif 000013
【図３】
2015021744.tif 000014
【図４】
2015021744.tif 000015
【図５】
2015021744.tif 000016
【図６】
2015021744.tif 000017
【図７】
2015021744.tif 000018
【図８】
2015021744.tif 000019
【図９】
2015021744.tif 000020
【図１０】
2015021744.tif 000021
【図１１】
2015021744.tif 000022